(57)【要約】  ラッチボルト組立体が、少なくとも第１の面、第２の面、及び第３の面を有する中実ラッチボルトと、中実ラッチボルトにピボット運動可能に結合された摩擦減少型ボルトとを含む。摩擦減少型ボルトは、Ｕ形状の断面を形成するように、中実ラッチボルトの第１の面に隣接して配置された横材と、横材から垂下する一対のプレートとを含む。このプレートは、中実ラッチボルトの第２及び第３の面に隣接して配置される。【選択図】図２
2015530508.tif 000002
【特許請求の範囲】
【請求項１】
少なくとも第１の面、第２の面、及び第３の面を有する中実ラッチボルトと、
前記中実ラッチボルトにピボット運動可能に結合され、前記中実ラッチボルトの前記第１の面に隣接して配置された横材と、前記横材から垂下し、且つ、前記中実ラッチボルトの前記第２及び第３の面に隣接して配置された一対のプレートとを含む、摩擦減少型ボルトと、
を含むことを特徴とするラッチボルト組立体。
【請求項２】
前記中実ラッチボルトは湾曲カム面を含み、前記横材は、前記湾曲カム面と協働して、ほぞ穴ボックス内への前記ラッチボルトの後退を助けるように構成されることを特徴とする、請求項１に記載のラッチボルト組立体。
【請求項３】
ロッドと、
前記ロッドに結合された中実ラッチボルトと、
Ｕ形状の断面を有し、前記中実ラッチボルトにピボット運動可能に結合された摩擦減少型ボルトと、
を含むことを特徴とするラッチボルト組立体。
【請求項４】
前記摩擦減少型ボルトは、前記中実ラッチボルトを横切って配置された横材を含み、前記横材は、前記中実ラッチボルトに係合するように構成されることを特徴とする、請求項３に記載のラッチボルト組立体。
【請求項５】
ロッドと、
前記ロッドに結合された中実ラッチボルトと、
前記中実ラッチボルトにピボット運動可能に結合され、且つ、横材と、前記横材から直交するように垂下する一対のプレートとを含む摩擦減少型ボルトと、
を含み、前記横材及びプレートは協働してＵ形状の断面を形成し、前記摩擦減少型ボルトは、３つの側で前記中実ラッチボルトにまたがるように配置されることを特徴とする、ラッチボルト組立体。
【発明の詳細な説明】
【技術分野】
【０００１】
本発明は、一般に、ラッチボルトに関し、特定的には、摩擦減少型ラッチボルトに関する。
【背景技術】
【０００２】
ラッチにかかる摩擦を減らすために、種々の手段が使用されてきた。こうした試みを行う１つの理由は、ラッチの摩耗を最小にするためである。別の理由は、ドアが完全に閉まらず、そのため不正な侵入を受ける余地が残る可能性を最小にするためである。
【０００３】
図１に示される過去の試みとして、典型的には、ヨークを形成するベース部分１４から長手方向に延びる２つのフィンガ１２を備えた第１の部分１０と、該２つのフィンガ１２の間にピボット運動可能に取り付けられた第２の部分１６とを有するラッチボルトが挙げられる。こうしたラッチボルトは、典型的には、フロント・プレートを有するほぞ穴ボックス内に取り付けられ、このフロント・プレートを通って、ラッチボルトが延び、ドア枠内に取り付けられたストライクに係合する。
【０００４】
第２の部分１６は、該第２の部分１６から、ドアの閉鎖動作の方向に延びる肩部１８を含む。ドアが閉まると、第２の部分１６は、ストライクに係合し、それにより、２つのフィンガ１２の間でピボット運動する。第２の部分１６がピボット運動すると、肩部１８はフロント・プレートの内面に係合し、その結果、ほぞ穴ボックス内へのラッチボルトの後退が始まり、それから２つのフィンガ１２がストライクに係合する。
【０００５】
過去の試みの構造は、脆弱であり、耐久性に欠けることが分かっている。本発明は、従来の摩擦減少型ボルトより強く、耐久性のある外側摩擦減少型ボルトを提供することにより、これらの不利な点を克服する。
【発明の概要】
【０００６】
ラッチボルト組立体が、少なくとも第１の面、第２の面、及び第３の面を有する中実ラッチボルトと、該中実ラッチボルトにピボット運動可能に結合された摩擦減少型ボルトとを含む。摩擦減少型ボルトは、中実ラッチボルトの第１の面に隣接して配置された横材と、横材から垂下する一対のプレートとを含む。このプレートは、中実ラッチボルトの第２及び第３の面に隣接して配置される。好ましい実施形態において、ラッチボルトは湾曲カム面を含み、横材は、湾曲カム面と協働して、ほぞ穴ボックス内へのラッチボルトの後退を助けるように構成される。他の実施形態において、摩擦減少型ボルトは、Ｕ形状の断面を有し、中実ラッチボルトにピボット運動可能に結合される。
【０００７】
さらに他の実施形態において、ラッチボルト組立体は、ロッドと、ロッドに結合された中実ラッチボルトと、中実ラッチボルトにピボット運動可能に結合された摩擦減少型ボルトとを含む。摩擦減少型ボルトは、横材と、横材から直交するように垂下する一対のプレートとを含み、横材及びプレートは協働してＵ形状の断面を形成する。摩擦減少型ボルトは、３つの側で中実ラッチボルトにまたがるように配置される。
【図面の簡単な説明】
【０００８】
【図１】従来技術のラッチボルトを示す。
【図２】本発明による例示的なラッチボルトの分解図である。
【図３】図２のラッチボルトと共に使用するための例示的な摩擦減少型ラッチボルトの図である。
【図４】図２のラッチボルトと共に使用するための例示的な摩擦減少型ラッチボルトの図である。
【図５】図２のラッチボルトと共に使用するための例示的な摩擦減少型ラッチボルトの図である。
【図６】図２のラッチボルトと共に使用するための例示的な摩擦減少型ラッチボルトの図である。
【図７】図２のラッチボルトと共に使用するための例示的な摩擦減少型ラッチボルトの図である。
【図８】図２のラッチボルトと共に使用するための例示的な摩擦減少型ラッチボルトの図である。
【図９】図２のラッチボルトと共に使用するための例示的な摩擦減少型ラッチボルトの図である。
【図１０】図１１の線１０−１０に沿って取られた断面図である。
【図１１】図１０の線１１−１１に沿って取られた断面図である。
【図１２】図１１の線１２−１２に沿って取られた断面図である。
【図１３】ラッチボルトが完全に延長した構成で内部に配置された、図２の例示的なラッチボルトを有するほぞ穴ボックスの上面図である。
【図１４】ラッチボルトが部分的に後退した構成で内部に配置された、図２の例示的なラッチボルトを有するほぞ穴ボックスの上面図である。
【発明を実施するための形態】
【０００９】
図２及び図１０〜図１２に、例示的なラッチボルト組立体２０を示す。ラッチボルト組立体２０は、尾部２２と、ロッド２４と、ブッシング２６と、ばね２８と、一体型中実ラッチボルト３２と、摩擦減少型ボルト３４とを含む。図１０〜図１１に示されるように、尾部２２、ロッド２４、ブッシング２６及びばね２８が、ロッド組立体３０に組み立てられ、一体型中実ラッチボルト３２に結合される。
【００１０】
図３〜図９に示されるような摩擦減少型ボルト３４は、ほぼＵ字形状の断面を有する。摩擦減少型ボルト３４は、横材５４と、横材５４から直交するように垂下する一対のプレート５６とを含む。図１２に示されるように、プレート５６は、ピボットピン５８を受けるためのピボットピン用アパーチャ６０を含む。横材５４は、傾斜縁部６２を含む。
【００１１】
一体型中実ラッチボルト３２は、ロッド組立体受け用孔３８と、留めねじ用孔４２とを有するベース部分３６を含む。ロッド組立体３０は、ロッド組立体受け用孔３８内に作動可能に配置され、留めねじ４４は、留めねじ用孔４２内に作動可能に配置されて、ロッド組立体３０に係合し、それによりロッド組立体３０がベース部分３６内に保持される。一体型中実ラッチボルト３２は、湾曲カム面４８と、傾斜カム面５２とを含むストライク係合部分４６をさらに含む。
【００１２】
図１１〜図１２に示されるように、摩擦減少型ボルト３４の直交するプレート５６は、一体型中実ラッチボルト３２に平行に且つこれに隣接して延びる。プレート５６は、ピボットピン５８によって一体型中実ラッチボルト３２にピボット運動可能に結合される。従って、図１２に示されるように、摩擦減少型ボルト３４は、３つの側で一体型中実ラッチボルト３２にまたがるように構成される。横材５４は、中実ラッチボルト３２にピボット運動可能に結合されると、一体型中実ラッチボルト３２の湾曲カム面４８に係合するように構成される。
【００１３】
図１３〜図１４に示されるように、作動において、ラッチボルト組立体２０は、通常、ほぞ穴ボックス内に取り付けられる。ほぞ穴ボックス６４は、ドア縁部内に取り付けられ、ラッチボルト組立体２０を、周知の方法でドア枠内に形成されたストライクと位置合わせするように配置される。ドアが閉じられると、ストライクは、直交するプレート５６の前縁部に係合し、摩擦減少型ボルト３４を、ピボットピン５８の周りでピボット運動させる。摩擦減少型ボルト３４がピボット運動すると、摩擦減少型ボルト３４の横材５４は、中実ラッチボルト３２の湾曲カム面４８に係合し、ストライク及びピボットピン５８と協働して、ラッチボルト組立体２０をほぞ穴ボックス６４内に部分的に押し込む。摩擦減少型ボルト３４は、直交するプレート５６の前縁部が中実ラッチボルト３２の傾斜カム面５２と位置合わせされるまで、ピボットピン５８の周りでピボット運動し続ける。ひとたび前縁部と中実ラッチボルト３２が位置合わせされると、ストライクは、中実ラッチボルト３２及び摩擦減少型ボルト３４にカムを介して付勢して、ほぞ穴ボックス６４内へのラッチボルト組立体２０の後退を続行する。
【００１４】
多数の例示的な態様を上述したが、当業者であれば、特定の修正、置換、追加、及びその副組み合わせを認識するであろう。従って、次の添付される特許請求の範囲、及び今後導入される特許請求の範囲は、その態様の趣旨及び範囲内に入るような全てのこうした修正、置換、追加及び副組み合わせを含むように解釈されることを意図する。
【符号の説明】
【００１５】
１０：第１の部分
１２：フィンガ
１６：第２の部分
１４、３６：ベース部分
１８：肩部
２０：ラッチボルト組立体
３０：ロッド組立体
３２：一体型中実ラッチボルト
３４：摩擦減少型ボルト
３８：ロッド組立体受け用孔
４２：留めねじ用孔
４６：ストライク係合部分
４８：湾曲カム面
５２：傾斜カム面
５４：横材
５６：プレート
５８：ピボットピン
６０：ピボットピン用アパーチャ
６２：傾斜縁部
６４：ほぞ穴ボックス
【図１】
2015530508.tif 000003
【図２】
2015530508.tif 000004
【図３】
2015530508.tif 000005
【図４】
2015530508.tif 000006
【図５】
2015530508.tif 000007
【図６】
2015530508.tif 000008
【図７】
2015530508.tif 000009
【図８】
2015530508.tif 000010
【図９】
2015530508.tif 000011
【図１０】
2015530508.tif 000012
【図１１】
2015530508.tif 000013
【図１２】
2015530508.tif 000014
【図１３】
2015530508.tif 000015
【図１４】
2015530508.tif 000016
【国際調査報告】
2015530508.tif 000017